(57)【要約】【課題】可及的小型にして高い支持強度を有し、傾斜面でのショット練習を安全に行うことのできる簡便なゴルフ練習台を提供する。【解決手段】基台フレーム１上にチルト駆動部３を介して打席台２を前後左右に傾斜可能に設けたゴルフ練習台である。チルト駆動部３は、基台フレーム１の上面部に敷設したガイドレール４Ａ，４Ｂ、ガイドレール４Ａに沿って移動するスライドカム５Ａ，５Ａ、ガイドレール５Ｂに沿ってスライドカム５Ａの移動方向と直交する方向に移動するスライドカム５Ｂ，５Ｂを備える。打席台２には、スライドカム５Ａ，５Ａに対応するカム従節９Ａ，９Ａと、スライドカム５Ｂ，５Ｂに対応するカム従節９Ｂ，９Ｂが取り付けられる。スライドカム５Ａ，５Ｂは、カム従節９Ａ，９Ｂをそれぞれ昇降可能に支持する傾斜状の支持部５１を有する。【選択図】図１
2011067303.tif 000002
【特許請求の範囲】
【請求項１】
基台フレーム上にチルト駆動部を介して打席台を前後左右に傾斜可能に設けたゴルフ練習台であり、
前記チルト駆動部は、前記基台フレームの上面部に敷設した第１ガイドレール及び第２ガイドレールと、前記第１ガイドレールに沿って移動する一対の第１スライドカムと、前記第２ガイドレールに沿って前記第１スライドカムの移動方向と直交する方向に移動する一対の第２スライドカムと、前記第１スライドカムを前記第１ガイドレールに沿って移動させるべく第１駆動源により駆動される第１伝動機構と、前記第２スライドカムを前記第２ガイドレールに沿って移動させるべく前記第１駆動源とは別に駆動可能な第２駆動源により駆動される第２伝動機構とを具備して構成され、
前記第１伝動機構は、前記一対の第１スライドカムと係合する第１ネジ軸を有すると共に、前記第２伝動機構は、前記第１ネジ軸に直交して前記一対の第２スライドカムと係合する第２ネジ軸を有し、
前記打席台には、その中心部を挟んで前記一対の第１スライドカムに対応する一対の第１カム従節と前記一対の第２スライドカムに対応する一対の第２カム従節が取り付けられ、
前記第１スライドカム及び第２スライドカムは、前記第１カム従節及び第２カム従節をそれぞれ昇降可能に支持する傾斜状の支持部を有していることを特徴とするゴルフ練習台。
【請求項２】
前記支持部は、前記第１ネジ軸と第２ネジ軸との交差部分に向かって高さが漸次大きくなる傾斜態様であることを特徴とする請求項１記載のゴルフ練習台。
【請求項３】
前記第１ネジ軸及び第２ネジ軸は、各々その軸方向に移動するよう両者の交差部分に回転自在に配置される駆動ナットに螺合され、その各両端にそれぞれ前記一対の第１スライドカム及び一対の第２スライドカムが連結されていることを特徴とする請求項１、又は２記載のゴルフ練習台。
【請求項４】
前記第１カム従節及び第２カム従節は、前記打席台に固定されるブラケットと、前記打席台の盤面に平行して前記ブラケットにより支持されるガイド軸と、前記支持部に載る接触部材とを含み、
前記接触部材は前記ガイド軸の軸方向に摺動可能にして支持されると共に、前記第１カム従節のガイド軸は前記第１ネジ軸に対して直交する方向に指向され、前記第２カム従節のガイド軸は前記第２ネジ軸に対して直交する方向に指向されていることを特徴とする請求項１〜３のいずれか１項に記載のゴルフ練習台。
【請求項５】
前記支持部及び接触部材において、その何れか一方に前記支持部の長手方向に沿う相対的な移動を許容するガイド溝が形成されると共に、他方には前記ガイド溝に嵌る凸面部が形成され、その凸面部の輪郭が前記ガイド溝の幅を直径とする円弧形とされていることを特徴とする請求項４記載のゴルフ練習台。
【請求項６】
前記基台フレーム及び打席台は、前記第１スライドカム及び第２スライドカムの移動方向に対角を有する方形状の形態とされていることを特徴とする請求項１〜５のいずれか１項に記載のゴルフ練習台。
【発明の詳細な説明】
【技術分野】
【０００１】
本発明は、ゴルフの練習に用いられる装置に係わり、特に実際のゴルフコースにおける起伏を想定して、傾斜面でのショット練習を行えるようにしたゴルフ練習台に関する。
【背景技術】
【０００２】
従来、その種のゴルフ練習台として、基台となるベース部材に一対のスクリューを互いに直交するようにして装置すると共に、その両スクリューに移動部材（ナット）を２つずつ螺合せしめ、その各移動部材と練習者の足場となる足場部材とを各々リンクで連接した構造の装置が知られている（例えば、特許文献１）。
【先行技術文献】
【特許文献】
【０００３】
【特許文献１】特開２０００−５１４２４号公報（段落０００５〜０００９、図１〜図３）。
【発明の概要】
【発明が解決しようとする課題】
【０００４】
しかしながら、特許文献１に開示される従来装置では、足場部材を一方向に傾斜させたとき、その傾斜方向に位置するリンクの姿勢（リンクと足場部材との結節点の位置）に関係して、足場部材を逆方向に傾斜できなくなることが懸念される。
【０００５】
又、リンクによる支持構造では、リンクの結節点に大きな負荷が発生するため、足場部材の重量やその上に載る練習者の体重、ならびに足場部材上でのショット練習に起因する衝撃荷重を支えるに足る充分な支持強度を得難い。
【０００６】
更に、足場部材の最大傾斜角を大きくするには、リンクを長くしながら、リンクを作動させる移動部材の移動ストロークを大きくすることが必要となり、結果として装置の大型化を招くという問題がある。
【０００７】
本発明は以上のような事情に鑑みて成されたものであり、その目的は可及的小型にして高い支持強度を有し、傾斜面でのショット練習を安全に行うことのできる簡便なゴルフ練習台を提供することにある。
【課題を解決するための手段】
【０００８】
本発明は上記目的を達成するため、
基台フレーム上にチルト駆動部を介して打席台を前後左右に傾斜可能に設けたゴルフ練習台であり、
前記チルト駆動部は、前記基台フレームの上面部に敷設した第１ガイドレール及び第２ガイドレールと、前記第１ガイドレールに沿って移動する一対の第１スライドカムと、前記第２ガイドレールに沿って前記第１スライドカムの移動方向と直交する方向に移動する一対の第２スライドカムと、前記第１スライドカムを前記第１ガイドレールに沿って移動させるべく第１駆動源により駆動される第１伝動機構と、前記第２スライドカムを前記第２ガイドレールに沿って移動させるべく前記第１駆動源とは別に駆動可能な第２駆動源により駆動される第２伝動機構とを具備して構成され、
前記第１伝動機構は、前記一対の第１スライドカムと係合する第１ネジ軸を有すると共に、前記第２伝動機構は、前記第１ネジ軸に直交して前記一対の第２スライドカムと係合する第２ネジ軸を有し、
前記打席台には、その中心部を挟んで前記一対の第１スライドカムに対応する一対の第１カム従節と前記一対の第２スライドカムに対応する一対の第２カム従節が取り付けられ、
前記第１スライドカム及び第２スライドカムは、前記第１カム従節及び第２カム従節をそれぞれ昇降可能に支持する傾斜状の支持部を有していることを特徴とする。
【０００９】
加えて、前記支持部は、前記第１ネジ軸と第２ネジ軸との交差部分に向かって高さが漸次大きくなる傾斜態様であることを特徴とする。
【００１０】
又、第１ネジ軸及び第２ネジ軸は、各々その軸方向に移動するよう両者の交差部分に回転自在に配置される駆動ナットに螺合され、その各両端にそれぞれ一対の第１スライドカム及び一対の第２スライドカムが連結されていることを特徴とする。
【００１１】
更に、前記第１カム従節及び第２カム従節は、前記打席台に固定されるブラケットと、前記打席台の盤面に平行して前記ブラケットにより支持されるガイド軸と、前記支持部に載る接触部材とを含み、
前記接触部材は前記ガイド軸の軸方向に摺動可能にして支持されると共に、前記第１カム従節のガイド軸は前記第１ネジ軸に対して直交する方向に指向され、前記第２カム従節のガイド軸は前記第２ネジ軸に対して直交する方向に指向されていることを特徴とし、更に好ましくは、前記支持部及び接触部材において、その何れか一方に前記支持部の長手方向に沿う相対的な移動を許容するガイド溝が形成され、他方には前記ガイド溝に嵌る凸面部が形成され、その凸面部の輪郭が前記ガイド溝の幅を直径とする円弧形とされていることを特徴とする。
【００１２】
又、前記基台フレーム及び打席台は、前記第１スライドカム及び第２スライドカムの移動方向に対角を有する方形状の形態とされていることを特徴とする。
【発明の効果】
【００１３】
本発明に係るゴルフ練習台によれば、基台フレームと打席台との間に、第１ガイドレール及び第２ガイドレールに沿って互いに直交する方向に移動する一対の第１スライドカムと第２スライドカムとを設け、その各スライドカムが備える傾斜状の支持部により、打席台に取り付けたカム従節をそれぞれ昇降可能に支持する構成としていることから、打席台やその上でショット練習する練習者の荷重に耐え得る高強度の支持構造にして、傾斜する打席台を安定支持することができる。
【００１４】
しかも、支持部の傾斜角を大きくすることにより、スライドカムの移動量を小さくしながら打席台の傾斜角を大きくすることができるので、打席台の角度変化を大きくしながら装置を小型化することができる。
【００１５】
加えて、第１スライドカム及び第２スライドカムを構成する支持部が、第１ネジ軸と第２ネジ軸との交差部分に向かって高さが漸次大きくなる傾斜態様とされていることから、打席台を一方向に傾斜させたとき、打席台がその傾斜方向に位置する支持部の上端に干渉するのを防止できる。このため、支持部の傾斜角度を大きくした場合でも、その上端に打席台を干渉させずして打席台を大きく傾斜させることが可能となる。
【００１６】
又、両端にスライドカムを連結したネジ軸がその軸方向に移動する構成では、ネジ軸の両端を軸受装置で支持せず、スライドカムをネジ軸の支持装置として利用することができる。このため、スライドカムを軸受装置などに干渉させることなく打席台の外縁方向に移動させることができる。
【００１７】
更に、カム従節が支持部に載る接触部材を有し、その接触部材がその下に位置にするネジ軸に直交するガイド軸に沿って摺動可能とされる構成では、打席台を一方向に傾斜させた場合でも、その傾斜方向に直交する方向に位置する接触部材が支持部上から外れてしまうことを防止できる。しかも、支持部及び接触部材の何れか一方に支持部の長手方向に沿う両者の相対的な移動を許容するガイド溝が形成され、他方にガイド溝の幅を直径とする円弧形の輪郭を有する凸面部が形成され、その凸面部がガイド溝に嵌るようにした構成では、打席台を一方向に傾斜させるとき、その傾斜方向に直交する方向に位置する接触部材が支持部上から外れてしまうことをより確実に防止しながら、ガイド軸に沿って移動する接触部材を支持部に対して円滑に角変位させることができる。
【００１８】
又、基台フレーム及び打席台がスライドカムの移動方向に対角を有する方形状の形態とされるものでは、基台フレームや打席台を面積の小さいものにしながら、打席台を傾斜させるに必要なスライドカムの移動ストロークを大きくとることができる。
【図面の簡単な説明】
【００１９】
【図１】本発明に係るゴルフ練習台を示す側面概略図
【図２】同練習台の平面透視図
【図３】伝動機構の一部を示す平面図
【図４】打席台が一方向に傾斜した状態を示す動作説明図
【図５】打席台の中心部を示す断面図
【図６】カム従節を示す正面図
【図７】図６のＹ−Ｙ断面図
【図８】カム従節の動作説明図
【図９】スライドカムを示す側面図
【図１０】図９のＹ１−Ｙ１断面図
【図１１】図９のＹ２−Ｙ２断面図
【図１２】カム従節の変形例を示す部分断面図
【図１３】カム従節と支持部の変形例を示す部分断面図
【発明を実施するための形態】
【００２０】
以下、本発明に係るゴルフ練習台の好適な実施形態を図面に基づき詳しく説明する。先ず、図１において、１は構造用鋼を接合するなどして構成される基台フレームであり、この基台フレーム１上にゴルフ練習者の足場となる打席台２が前後左右に傾斜可能にして設けられている。
【００２１】
打席台２は、基台フレーム１と同じく構造用鋼を接合するなどして構成される板状構造物であり、その上面には人工芝を貼り付けた図示せぬ床板が敷き詰めされ、一端縁にはゴルフボールを配置するボール置き場２１が形成されている。
【００２２】
又、基台フレーム１と打席台２の間には、打席台２を前後左右に傾斜させるためのチルト駆動部３が設けられている。図１及び図２から明らかなように、チルト駆動部３は、基台フレーム１の上面部に敷設されたガイドレール４Ａ，４Ｂ（第１ガイドレール及び第２ガイドレール）を備えている。特に、ガイドレール４Ａ，４Ｂは、基台フレーム１の中心部を基線の交点として互いに直交する状態に敷設されている。又、基台フレーム１と打席台２は、ガイドレール４Ａ，４Ｂの長手方向に対角を有する方形状（正方形の輪郭）の形態とされている。すなわち、ガイドレール４Ａ，４Ｂは、基台フレーム１の上面部における同一平面内において、基台フレーム１と打席台２との対角線上に位置している。
【００２３】
そして、一方のガイドレール４Ａ上には基台フレーム１の中心部を挟んで一対のスライドカム５Ａ，５Ａ（第１スライドカム）が設けられ、他方のガイドレール４Ｂ上にも基台フレーム１の中心部を挟んで一対のスライドカム５Ｂ，５Ｂ（第２スライドカム）が設けられている。
【００２４】
スライドカム５Ａ，５Ｂはいずれも同一の構造であり、その形態は後述するネジ軸６１ａ，６１ｂの交差部分（打席台２の中心部）に向かって高さが漸次大きくなる傾斜状の支持部５１を斜辺とする直角三角形状とされている。尚、一対のスライドカム５Ａ，５Ａはガイドレール４Ａに沿って同一方向に往復移動し、一対のスライドカム５Ｂ，５Ｂはガイドレール４Ｂに沿って同一方向（スライドカム５Ａの移動方向に対して直交する方向）に往復移動する。つまり、スライドカム５Ａの移動方向はガイドレール４Ａの長手方向に一致し、スライドカム５Ｂの移動方向はガイドレール４Ｂの長手方向に一致するのであり、それらの移動方向には基台フレーム１と打席台２の対角が位置している。
【００２５】
図２において、６Ａはスライドカム５Ａをガイドレール４Ａに沿って移動させるための伝動機構（第１伝動機構）、６Ｂはスライドカム５Ｂをガイドレール４Ｂに沿って移動させるための伝動機構（第２伝動機構）であり、その両伝動機構６Ａ，６Ｂは、それぞれガイドレール４Ａ，４Ｂに沿って延びる上記ネジ軸６１ａ，６１ｂ（第１ネジ軸及び第２ネジ軸）を備えている。つまり、両ネジ軸６１ａ，６１ｂはガイドレール４Ａ，４Ｂと同じく基台フレーム１と打席台２との対角方向を指向するようにして直交配置されている。特に、ネジ軸６１ａ，６１ｂの交差部分において、基台フレーム１にはギアボックス６２が固設されている。
【００２６】
図３から明らかなように、ギアボックス６２は、ネジ軸６１ａ，６１ｂの軸方向に対向配置した軸受ブロック６３ａ，６３ｂを有し、その軸受ブロック６３ａ，６３ｂに軸受６４ａ，６４ｂが嵌め込まれている。軸受６４ａ，６４ｂはそれぞれ駆動ナット６５ａ，６ｂを回転自在に支持しており、その駆動ナット６５ａ，６５ｂにそれぞれネジ軸６１ａ，６１ｂが段違いにして螺合されている。尚、駆動ナット６５ａ，６５ｂの外周には、ＭＣナイロン樹脂製のスペーサ６６ａ，６６ｂにより挟まれるスプロケット６７ａ，６７ｂが固着されており、そのスプロケット６７ａ，６７ｂに対して外部から回転駆動力が与えられる構成とされている。
【００２７】
図２において、Ｍ１は伝動機構６Ａを構成する上記駆動ナット６５ａを回転駆動させるための駆動源（第１駆動源）、Ｍ２は伝動機構６Ｂを構成する上記駆動ナット６５ｂを回転駆動させるための駆動源（第２駆動源）であり、それら駆動源Ｍ１，Ｍ２の回転出力軸に固着したスプロケット６８ａ，６８ｂと上記スプロケット６７ａ，６７ｂとの間にチェーンが巻き掛けられている。尚、駆動源Ｍ１，Ｍ２は、個別に駆動可能な可逆モータにして基台フレーム１上に設置されている。又、基台フレーム１には駆動源Ｍ１，Ｍ２の動作制御を行う制御ボックスＣが配置され、その制御ボックスＣ内に設けられる制御機器と図示せぬ操作盤が信号線により接続されている。
【００２８】
そして、操作盤のスイッチ操作により駆動源Ｍ１，Ｍ２を個別に、若しくは同時に駆動させ、これにより上記駆動ナット６５ａ，６５ｂを正逆に回転させ得るようになっている。駆動ナット６５ａ，６５ｂが回転すれば、これに螺合するネジ軸６１ａ，６１ｂが各々その軸方向に移動し、その各両端に連結したスライドカム５Ａ，５Ｂがそれぞれガイドレール４Ａ，４Ｂに沿って移動することになる。
【００２９】
又、図１に示されるように、上記ギアボックス６２には、ネジ軸６１ａ，６１ｂの交点上で主軸７が立てられ、その主軸７に対して打席台１の中心部が球面対偶部８を介して連結されている。又、打席台１には、その中心部を挟んでスライドカム５Ａ，５Ａに対応する一対のカム従節９Ａ，９Ａ（第１カム従節）と、スライドカム５Ｂ，５Ｂに対応する一対のカム従節９Ｂ，９Ｂ（図１では省略される第２カム従節）が取り付けられ、それらカム従節９Ａ，９Ｂがそれぞれスライドカム５Ａ，５Ｂの支持部５１により昇降可能に支持されている。従って、スライドカム５Ａ，５Ｂがガイドレール４Ａ，４Ｂに沿って移動すると、スライドカム５Ａ，５Ｂの支持部５１によりカム従節９Ａ，９Ｂが支持されたまま、打席台２が前後左右に傾斜するようになり、このため打席台２上に立つ練習者に対して、打席台２の上面を前下がり、前上がり、右足下がり、あるいは左足下がりとなる傾斜面とすることができる。
【００３０】
例えば、図１に示される一対のスライドカム５Ａ，５Ａを同図左方に移動させれば、打席台２は図１の左側が上がって右側が下げるよう傾斜して図４のようになる。このため、図４の左側を打球方向として右利き（右打ち構え）の練習者は、図４の状態において右足下がりの姿勢でショット練習を行うことができる。
【００３１】
尚、本例では、カム従節９Ａ，９Ｂの下端位置を結ぶ線上よりも打席台２の揺動中心が上方に位置するため、打席台２を傾斜させたとき上部側に位置するカム従節９Ａ，９Ｂの上昇移動量が下部側に位置するカム従節９Ａ，９Ｂの降下移動量より大きくなり、機構上では上部側のカム従節９Ａ，９Ｂが支持部５１から少なからず浮き上がるようになるが、実際には打席台２の自重による撓みなどによりカム従節９Ａ，９Ｂの浮き上がり現象は発生しない。加えて、主軸７に対して打席台２の上下移動を許容する構成としたり、打席台２の揺動中心をカム従節９Ａ，９Ｂの下端位置まで下げたりすることにより、上記現象が発生することを完全に防止することができる。
【００３２】
ここで、主軸７と打席台２との連結部分の構造を図５に示して説明すれば、打席台２の揺動中心となる球面対偶部８は、主軸７の外周に装着される軸受８１と、軸受８１を揺動自在に保持する軸受ブロック８２とから成る自動調心形の軸受ユニットであり、軸受８１の外輪８１ａの外周と軸受ブロック８２の内周は曲率を同じくして摺接する球面Ｒとされている。そして、係る球面対偶部８によれば、軸受ブロック８２を打席台２の中心部にボルト止めすることにより、主軸７を中心に打席台２を前後左右に傾斜可能にして支持することができる。
【００３３】
一方、図６〜図８に示すように、カム従節９Ａ，９Ｂは、打席台２の底面部に固定されるブラケット９１と、打席台２の盤面（厚さ方向に直交する平面）に平行してブラケット９１により両端を支持されるガイド軸９２と、ガイド軸９２により支持される接触部材９３とを有し、その接触部材９３がスライドカム５Ａ，５Ｂの支持部５１に載る構成とされている。尚、スライドカム５Ａの支持部５１は、ガイドレール４Ａ及びネジ軸６１ａに対して直交する方向に指向され、スライドカム５Ｂの支持部５１は、ガイドレール４Ｂ及びネジ軸６１ｂに対して直交する方向に指向されている。
【００３４】
又、接触部材９３は、ガイド軸９２を中心として回転する車輪であり、その外周には支持部５１に対して転がり接触する環状のガイド溝Ｇが形成されている。これにより、接触部材９３は、傾斜状の支持部５１を軌道にして支持部５１の長手方向に沿う移動を許容されているが、支持部５１に対して接触部材９３が転がり接触しながらその両者５１，９３が支持部５１の長手方向に相対移動する構成であれば、支持部５１と接触部材９３の摩耗を抑制することができる。
【００３５】
特に、接触部材９３は、ガイド軸９２の軸方向に対する摺動も可能とされている。これによれば、図８のように打席台２が傾斜されたとき、同方向に傾斜するガイド軸９２に沿って接触部材９３を移動させ、支部部５１から接触部材９３が外れること（脱輪）を防止することができる。又、打席台２が図８のように傾斜するとき、接触部材９３がガイド軸９２の傾斜角分だけ支持部５１上で回転角変位をするようになるところ、支持部５１に対する接触部材９３の回転角変位が円滑に行われるよう、ガイド溝Ｇは断面半円弧状の形態とされ、支持部５１には、円形断面の丸棒を用いるなどしてガイド溝Ｇの幅を直径とする円弧形の輪郭を有した凸面部Ｐが形成され、その凸面部Ｐがガイド溝Ｇに嵌め込まれている。
【００３６】
次に、上記のような支持部５１を有するスライドカム５Ａ，５Ｂの構造について言及すれば、係るスライドカム５Ａ，５Ｂは、図９〜図１１に示されるように、帯状の底板５２と、底板５２の長手方向一端部上に立設した端板５３と、端板５３に一端縁を固着せしめて底板５２上に直角に立設した垂直板５４と、垂直板５４の両面側に固着した補強用のリブ５５とを有する構成であり、垂直板５４の上縁斜辺部には丸棒（断面円形の棒鋼）を溶接するなどしてなる上記支持部５１が固設されている。又、底板５２には、コ字形のガイドレール４Ａ，４Ｂに対して摺動自在に係合するスライドテーブル５６が取り付けられている。更に、端板５３にはネジ軸６１ａ，６１ｂの一端部を挿入する透孔５７が穿設され、垂直板５４には透孔５７に挿入したネジ軸６１ａ，６１ｂの一端を端板５３にナットで締結することを可能にする切欠部５８が形成されている。尚、上記のようにスライドカム５Ａ，５Ｂは同一の構造であるが、それらに連結するネジ軸６１ａ，６１ｂは段違いにして配置されているので、スライドカム５Ａとスライドカム５Ｂでは、上記透孔５７及び切欠部５８の形成位置が上下にずれている。
【００３７】
そして、上記のようなスライドカム５Ａ，５Ｂによれば、大きな支持強度を有して支持部５１上に位置するカム従節９Ａ，９Ｂを介して打席台２と練習者とによる上方からの荷重を安定支持することができる。
【００３８】
以上、本発明の好適な実施形態を図面に基づき説明したが、係るゴルフ練習台は以上のような構成とすることに限らない。例えば、ネジ軸６１ａ，６１ｂを駆動源Ｍ１，Ｍ２により回転駆動されるものとする一方、そのネジ軸６１ａ，６１ｂに螺合するナット部材をスライドカム５Ａ，５Ｂに取り付けて、スライドカム５Ａ，５Ｂが回転駆動するネジ軸６１ａ，６１ｂに対して移動するようにしてもよい。
【００３９】
又、カム従節を構成する接触部材９３は、ガイド軸９２を中心に回転可能な車輪に限らず、ガイド軸９２の軸方向にのみ摺動可能な構造体でもよく、ガイド溝Ｇも図１２に示されるような断面コ字形の形態として差し支えない。更に、図１３に示すよう、支持部５１にガイド溝Ｇを形成する一方、接触部材９３に凸面部Ｐを形成するようにしてもよい。
【符号の説明】
【００４０】
１  基台フレーム
２  打席台
３  チルト駆動部
４Ａ  第１ガイドレール
４Ｂ  第２ガイドレール
５Ａ  第１スライドカム
５Ｂ  第２スライドカム
５１  支持部
６Ａ  第１伝動機構
６Ｂ  第２伝動機構
６１ａ  第１ネジ軸
６１ｂ  第２ネジ軸
６５ａ，６５ｂ  駆動ナット
９Ａ  第１カム従節
９Ｂ  第２カム従節
９１  ブラケット
９２  ガイド軸
９３  接触部材
Ｐ  ガイド溝
Ｇ  凸面部
Ｍ１  第１駆動源
Ｍ２  第２駆動源
【図１】
2011067303.tif 000003
【図２】
2011067303.tif 000004
【図３】
2011067303.tif 000005
【図４】
2011067303.tif 000006
【図５】
2011067303.tif 000007
【図６】
2011067303.tif 000008
【図７】
2011067303.tif 000009
【図８】
2011067303.tif 000010
【図９】
2011067303.tif 000011
【図１０】
2011067303.tif 000012
【図１１】
2011067303.tif 000013
【図１２】
2011067303.tif 000014
【図１３】
2011067303.tif 000015
【手続補正書】
【提出日】平成22年3月1日(2010.3.1)
【手続補正１】
【補正対象書類名】特許請求の範囲
【補正対象項目名】全文
【補正方法】変更
【補正の内容】
【特許請求の範囲】
【請求項１】
基台フレーム上にチルト駆動部を介して打席台を前後左右に傾斜可能に設けたゴルフ練習台であり、
前記チルト駆動部は、前記基台フレームの上面部に敷設した第１ガイドレール及び第２ガイドレールと、前記第１ガイドレールに沿って移動する一対の第１スライドカムと、前記第２ガイドレールに沿って前記第１スライドカムの移動方向と直交する方向に移動する一対の第２スライドカムと、前記第１スライドカムを前記第１ガイドレールに沿って移動させるべく第１駆動源により駆動される第１伝動機構と、前記第２スライドカムを前記第２ガイドレールに沿って移動させるべく前記第１駆動源とは別に駆動可能な第２駆動源により駆動される第２伝動機構とを具備して構成され、
前記第１伝動機構は、前記一対の第１スライドカムと係合する第１ネジ軸を有すると共に、前記第２伝動機構は、前記第１ネジ軸に直交して前記一対の第２スライドカムと係合する第２ネジ軸を有し、
前記打席台には、その中心部を挟んで前記一対の第１スライドカムに対応する一対の第１カム従節と前記一対の第２スライドカムに対応する一対の第２カム従節が取り付けられ、
前記第１スライドカム及び第２スライドカムは、前記第１カム従節及び第２カム従節をそれぞれ昇降可能に支持する傾斜状の支持部を有し、
前記支持部は、前記第１ネジ軸と第２ネジ軸との交差部分に向かって高さが漸次大きくなる傾斜態様であることを特徴とするゴルフ練習台。
【請求項２】
基台フレーム上にチルト駆動部を介して打席台を前後左右に傾斜可能に設けたゴルフ練習台であり、
前記チルト駆動部は、前記基台フレームの上面部に敷設した第１ガイドレール及び第２ガイドレールと、前記第１ガイドレールに沿って移動する一対の第１スライドカムと、前記第２ガイドレールに沿って前記第１スライドカムの移動方向と直交する方向に移動する一対の第２スライドカムと、前記第１スライドカムを前記第１ガイドレールに沿って移動させるべく第１駆動源により駆動される第１伝動機構と、前記第２スライドカムを前記第２ガイドレールに沿って移動させるべく前記第１駆動源とは別に駆動可能な第２駆動源により駆動される第２伝動機構とを具備して構成され、
前記第１伝動機構は、前記一対の第１スライドカムと係合する第１ネジ軸を有すると共に、前記第２伝動機構は、前記第１ネジ軸に直交して前記一対の第２スライドカムと係合する第２ネジ軸を有し、
前記打席台には、その中心部を挟んで前記一対の第１スライドカムに対応する一対の第１カム従節と前記一対の第２スライドカムに対応する一対の第２カム従節が取り付けられ、
前記第１スライドカム及び第２スライドカムは、前記第１カム従節及び第２カム従節をそれぞれ昇降可能に支持する傾斜状の支持部を有し、
前記第１カム従節及び第２カム従節は、前記打席台に固定されるブラケットと、前記打席台の盤面に平行して前記ブラケットにより支持されるガイド軸と、前記支持部に載る接触部材とを含み、
前記接触部材は前記ガイド軸の軸方向に摺動可能にして支持されると共に、前記第１カム従節のガイド軸は前記第１ネジ軸に対して直交する方向に指向され、前記第２カム従節のガイド軸は前記第２ネジ軸に対して直交する方向に指向されていることを特徴とするゴルフ練習台。
【請求項３】
前記支持部は、前記第１ネジ軸と第２ネジ軸との交差部分に向かって高さが漸次大きくなる傾斜態様であることを特徴とする請求項２記載のゴルフ練習台。
【請求項４】
前記支持部及び接触部材において、その何れか一方に前記支持部の長手方向に沿う相対的な移動を許容するガイド溝が形成されると共に、他方には前記ガイド溝に嵌る凸面部が形成され、その凸面部の輪郭が前記ガイド溝の幅を直径とする円弧形とされていることを特徴とする請求項２、又は３記載のゴルフ練習台。
【請求項５】
前記第１ネジ軸及び第２ネジ軸は、各々その軸方向に移動するよう両者の交差部分に回転自在に配置される駆動ナットに螺合され、その各両端にそれぞれ前記一対の第１スライドカム及び一対の第２スライドカムが連結されていることを特徴とする請求項１〜４のいずれか１項に記載のゴルフ練習台。
【請求項６】
前記基台フレーム及び打席台は、前記第１スライドカム及び第２スライドカムの移動方向に対角を有する方形状の形態とされていることを特徴とする請求項１〜５のいずれか１項に記載のゴルフ練習台。
【手続補正２】
【補正対象書類名】明細書
【補正対象項目名】０００８
【補正方法】変更
【補正の内容】
【０００８】
本発明は上記目的を達成するため、
基台フレーム上にチルト駆動部を介して打席台を前後左右に傾斜可能に設けたゴルフ練習台であり、
前記チルト駆動部は、前記基台フレームの上面部に敷設した第１ガイドレール及び第２ガイドレールと、前記第１ガイドレールに沿って移動する一対の第１スライドカムと、前記第２ガイドレールに沿って前記第１スライドカムの移動方向と直交する方向に移動する一対の第２スライドカムと、前記第１スライドカムを前記第１ガイドレールに沿って移動させるべく第１駆動源により駆動される第１伝動機構と、前記第２スライドカムを前記第２ガイドレールに沿って移動させるべく前記第１駆動源とは別に駆動可能な第２駆動源により駆動される第２伝動機構とを具備して構成され、
前記第１伝動機構は、前記一対の第１スライドカムと係合する第１ネジ軸を有すると共に、前記第２伝動機構は、前記第１ネジ軸に直交して前記一対の第２スライドカムと係合する第２ネジ軸を有し、
前記打席台には、その中心部を挟んで前記一対の第１スライドカムに対応する一対の第１カム従節と前記一対の第２スライドカムに対応する一対の第２カム従節が取り付けられ、
前記第１スライドカム及び第２スライドカムは、前記第１カム従節及び第２カム従節をそれぞれ昇降可能に支持する傾斜状の支持部を有し、
前記支持部は、前記第１ネジ軸と第２ネジ軸との交差部分に向かって高さが漸次大きくなる傾斜態様であることを特徴とする。
【手続補正３】
【補正対象書類名】明細書
【補正対象項目名】０００９
【補正方法】変更
【補正の内容】
【０００９】
又、基台フレーム上にチルト駆動部を介して打席台を前後左右に傾斜可能に設けたゴルフ練習台であり、
前記チルト駆動部は、前記基台フレームの上面部に敷設した第１ガイドレール及び第２ガイドレールと、前記第１ガイドレールに沿って移動する一対の第１スライドカムと、前記第２ガイドレールに沿って前記第１スライドカムの移動方向と直交する方向に移動する一対の第２スライドカムと、前記第１スライドカムを前記第１ガイドレールに沿って移動させるべく第１駆動源により駆動される第１伝動機構と、前記第２スライドカムを前記第２ガイドレールに沿って移動させるべく前記第１駆動源とは別に駆動可能な第２駆動源により駆動される第２伝動機構とを具備して構成され、
前記第１伝動機構は、前記一対の第１スライドカムと係合する第１ネジ軸を有すると共に、前記第２伝動機構は、前記第１ネジ軸に直交して前記一対の第２スライドカムと係合する第２ネジ軸を有し、
前記打席台には、その中心部を挟んで前記一対の第１スライドカムに対応する一対の第１カム従節と前記一対の第２スライドカムに対応する一対の第２カム従節が取り付けられ、
前記第１スライドカム及び第２スライドカムは、前記第１カム従節及び第２カム従節をそれぞれ昇降可能に支持する傾斜状の支持部を有し、
前記第１カム従節及び第２カム従節は、前記打席台に固定されるブラケットと、前記打席台の盤面に平行して前記ブラケットにより支持されるガイド軸と、前記支持部に載る接触部材とを含み、
前記接触部材は前記ガイド軸の軸方向に摺動可能にして支持されると共に、前記第１カム従節のガイド軸は前記第１ネジ軸に対して直交する方向に指向され、前記第２カム従節のガイド軸は前記第２ネジ軸に対して直交する方向に指向されていることを特徴とし、
更に好ましくは、前記支持部は、前記第１ネジ軸と第２ネジ軸との交差部分に向かって高さが漸次大きくなる傾斜態様であることを特徴とする。
【手続補正４】
【補正対象書類名】明細書
【補正対象項目名】００１０
【補正方法】変更
【補正の内容】
【００１０】
更に、前記支持部及び接触部材において、その何れか一方に前記支持部の長手方向に沿う相対的な移動を許容するガイド溝が形成されると共に、他方には前記ガイド溝に嵌る凸面部が形成され、その凸面部の輪郭が前記ガイド溝の幅を直径とする円弧形とされていることを特徴とする。
【手続補正５】
【補正対象書類名】明細書
【補正対象項目名】００１１
【補正方法】変更
【補正の内容】
【００１１】
加えて、前記第１ネジ軸及び第２ネジ軸は、各々その軸方向に移動するよう両者の交差部分に回転自在に配置される駆動ナットに螺合され、その各両端にそれぞれ前記一対の第１スライドカム及び一対の第２スライドカムが連結されていることを特徴とする。
【手続補正書】
【提出日】平成22年5月24日(2010.5.24)
【手続補正１】
【補正対象書類名】特許請求の範囲
【補正対象項目名】全文
【補正方法】変更
【補正の内容】
【特許請求の範囲】
【請求項１】
基台フレーム上にチルト駆動部を介して打席台を前後左右に傾斜可能に設けたゴルフ練習台であり、
前記チルト駆動部は、前記基台フレームの上面部に敷設した第１ガイドレール及び第２ガイドレールと、前記第１ガイドレールに沿って移動する一対の第１スライドカムと、前記第２ガイドレールに沿って前記第１スライドカムの移動方向と直交する方向に移動する一対の第２スライドカムと、前記第１スライドカムを前記第１ガイドレールに沿って移動させるべく第１駆動源により駆動される第１伝動機構と、前記第２スライドカムを前記第２ガイドレールに沿って移動させるべく前記第１駆動源とは別に駆動可能な第２駆動源により駆動される第２伝動機構とを具備して構成され、
前記第１伝動機構は、前記第１ガイドレールに平行して前記一対の第１スライドカムと係合する第１ネジ軸を有し、
前記第２伝動機構は、前記第２ガイドレールに平行すると共に前記第１ネジ軸に直交して前記一対の第２スライドカムと係合する第２ネジ軸を有し、
前記打席台には、その中心部を挟んで前記一対の第１スライドカムに対応する一対の第１カム従節と前記一対の第２スライドカムに対応する一対の第２カム従節が取り付けられ、
前記第１スライドカム及び第２スライドカムは、前記第１カム従節及び第２カム従節をそれぞれ昇降可能に支持する傾斜状の支持部を有し、
前記支持部は、前記第１ネジ軸と第２ネジ軸との交差部分に向かって高さが漸次大きくなる傾斜態様であることを特徴とするゴルフ練習台。
【請求項２】
前記第１カム従節及び第２カム従節は、前記打席台に固定されるブラケットと、前記打席台の盤面に平行して前記ブラケットにより支持されるガイド軸と、前記支持部に載る接触部材とを含み、
前記接触部材は前記ガイド軸の軸方向に摺動可能にして支持されると共に、前記第１カム従節のガイド軸は前記第１ネジ軸に対して直交する方向に指向され、前記第２カム従節のガイド軸は前記第２ネジ軸に対して直交する方向に指向されていることを特徴とする請求項１記載のゴルフ練習台。
【請求項３】
前記支持部及び接触部材において、その何れか一方に前記支持部の長手方向に沿う相対的な移動を許容するガイド溝が形成されると共に、他方には前記ガイド溝に嵌る凸面部が形成され、その凸面部の輪郭が前記ガイド溝の幅を直径とする円弧形とされていることを特徴とする請求項２記載のゴルフ練習台。
【請求項４】
前記第１ネジ軸及び第２ネジ軸は、各々その軸方向に移動するよう両者の交差部分に回転自在に配置される駆動ナットに螺合され、その各両端にそれぞれ前記一対の第１スライドカム及び一対の第２スライドカムが連結されていることを特徴とする請求項１〜３のいずれか１項に記載のゴルフ練習台。
【請求項５】
前記基台フレーム及び打席台は、前記第１スライドカム及び第２スライドカムの移動方向に対角を有する方形状の形態とされていることを特徴とする請求項１〜４のいずれか１項に記載のゴルフ練習台。
【手続補正２】
【補正対象書類名】明細書
【補正対象項目名】０００８
【補正方法】変更
【補正の内容】
【０００８】
本発明は上記目的を達成するため、
基台フレーム上にチルト駆動部を介して打席台を前後左右に傾斜可能に設けたゴルフ練習台であり、
前記チルト駆動部は、前記基台フレームの上面部に敷設した第１ガイドレール及び第２ガイドレールと、前記第１ガイドレールに沿って移動する一対の第１スライドカムと、前記第２ガイドレールに沿って前記第１スライドカムの移動方向と直交する方向に移動する一対の第２スライドカムと、前記第１スライドカムを前記第１ガイドレールに沿って移動させるべく第１駆動源により駆動される第１伝動機構と、前記第２スライドカムを前記第２ガイドレールに沿って移動させるべく前記第１駆動源とは別に駆動可能な第２駆動源により駆動される第２伝動機構とを具備して構成され、
前記第１伝動機構は、前記第１ガイドレールに平行して前記一対の第１スライドカムと係合する第１ネジ軸を有し、
前記第２伝動機構は、前記第２ガイドレールに平行すると共に前記第１ネジ軸に直交して前記一対の第２スライドカムと係合する第２ネジ軸を有し、
前記打席台には、その中心部を挟んで前記一対の第１スライドカムに対応する一対の第１カム従節と前記一対の第２スライドカムに対応する一対の第２カム従節が取り付けられ、
前記第１スライドカム及び第２スライドカムは、前記第１カム従節及び第２カム従節をそれぞれ昇降可能に支持する傾斜状の支持部を有し、
前記支持部は、前記第１ネジ軸と第２ネジ軸との交差部分に向かって高さが漸次大きくなる傾斜態様であることを特徴とする。
【手続補正３】
【補正対象書類名】明細書
【補正対象項目名】０００９
【補正方法】変更
【補正の内容】
【０００９】
加えて、前記第１カム従節及び第２カム従節は、前記打席台に固定されるブラケットと、前記打席台の盤面に平行して前記ブラケットにより支持されるガイド軸と、前記支持部に載る接触部材とを含み、
前記接触部材は前記ガイド軸の軸方向に摺動可能にして支持されると共に、前記第１カム従節のガイド軸は前記第１ネジ軸に対して直交する方向に指向され、前記第２カム従節のガイド軸は前記第２ネジ軸に対して直交する方向に指向されていることを特徴とする。
【手続補正４】
【補正対象書類名】明細書
【補正対象項目名】００１０
【補正方法】変更
【補正の内容】
【００１０】
又、前記支持部及び接触部材において、その何れか一方に前記支持部の長手方向に沿う相対的な移動を許容するガイド溝が形成されると共に、他方には前記ガイド溝に嵌る凸面部が形成され、その凸面部の輪郭が前記ガイド溝の幅を直径とする円弧形とされていることを特徴とする。
【手続補正５】
【補正対象書類名】明細書
【補正対象項目名】００１１
【補正方法】変更
【補正の内容】
【００１１】
更に、前記第１ネジ軸及び第２ネジ軸は、各々その軸方向に移動するよう両者の交差部分に回転自在に配置される駆動ナットに螺合され、その各両端にそれぞれ前記一対の第１スライドカム及び一対の第２スライドカムが連結されていることを特徴とする。
【手続補正書】
【提出日】平成22年11月29日(2010.11.29)
【手続補正１】
【補正対象書類名】特許請求の範囲
【補正対象項目名】全文
【補正方法】変更
【補正の内容】
【特許請求の範囲】
【請求項１】
基台フレーム上にチルト駆動部を介して打席台を前後左右に傾斜可能に設けたゴルフ練習台であり、
前記チルト駆動部は、前記基台フレームの上面部に敷設した第１ガイドレール及び第２ガイドレールと、前記第１ガイドレールに沿って移動する一対の第１スライドカムと、前記第２ガイドレールに沿って前記第１スライドカムの移動方向と直交する方向に移動する一対の第２スライドカムと、前記第１スライドカムを前記第１ガイドレールに沿って移動させるべく第１駆動源により駆動される第１伝動機構と、前記第２スライドカムを前記第２ガイドレールに沿って移動させるべく前記第１駆動源とは別に駆動可能な第２駆動源により駆動される第２伝動機構とを具備して構成され、
前記第１伝動機構は、前記第１ガイドレールに平行して前記一対の第１スライドカムと係合する第１ネジ軸を有し、
前記第２伝動機構は、前記第２ガイドレールに平行すると共に前記第１ネジ軸に直交して前記一対の第２スライドカムと係合する第２ネジ軸を有し、
前記打席台には、その中心部を挟んで前記一対の第１スライドカムに対応する一対の第１カム従節と前記一対の第２スライドカムに対応する一対の第２カム従節が取り付けられ、
前記第１スライドカム及び第２スライドカムは、前記第１カム従節及び第２カム従節をそれぞれ昇降可能に支持する傾斜状の支持部を有し、
前記支持部は、前記第１ネジ軸と第２ネジ軸との交差部分に向かって高さが漸次大きくなる傾斜態様であり、
前記第１カム従節及び第２カム従節は、前記打席台に固定されるブラケットと、前記打席台の盤面に平行して前記ブラケットにより支持されるガイド軸と、前記支持部に載る接触部材とを含み、
前記接触部材は前記ガイド軸の軸方向に摺動可能にして支持されると共に、前記第１カム従節のガイド軸は前記第１ネジ軸に対して直交する方向に指向され、前記第２カム従節のガイド軸は前記第２ネジ軸に対して直交する方向に指向されており、
前記支持部及び接触部材において、その何れか一方に前記支持部の長手方向に沿う相対的な移動を許容するガイド溝が形成されると共に、他方には前記ガイド溝に嵌る凸面部が形成され、その凸面部の輪郭が前記ガイド溝の幅を直径とする円弧形とされていることを特徴とするゴルフ練習台。
【請求項２】
前記第１ネジ軸及び第２ネジ軸は、各々その軸方向に移動するよう両者の交差部分に回転自在に配置される駆動ナットに螺合され、その各両端にそれぞれ前記一対の第１スライドカム及び一対の第２スライドカムが連結されていることを特徴とする請求項１記載のゴルフ練習台。
【請求項３】
前記基台フレーム及び打席台は、前記第１スライドカム及び第２スライドカムの移動方向に対角を有する方形状の形態とされていることを特徴とする請求項１、又は２記載のゴルフ練習台。
【手続補正２】
【補正対象書類名】明細書
【補正対象項目名】全文
【補正方法】変更
【補正の内容】
【発明の詳細な説明】
【技術分野】
【０００１】
本発明は、ゴルフの練習に用いられる装置に係わり、特に実際のゴルフコースにおける起伏を想定して、傾斜面でのショット練習を行えるようにしたゴルフ練習台に関する。
【背景技術】
【０００２】
従来、その種のゴルフ練習台として、基台となるベース部材に一対のスクリューを互いに直交するようにして装置すると共に、その両スクリューに移動部材（ナット）を２つずつ螺合せしめ、その各移動部材と練習者の足場となる足場部材とを各々リンクで連接した構造の装置が知られている（例えば、特許文献１）。
【先行技術文献】
【特許文献】
【０００３】
【特許文献１】特開２０００−５１４２４号公報（段落０００５〜０００９、図１〜図３）。
【発明の概要】
【発明が解決しようとする課題】
【０００４】
しかしながら、特許文献１に開示される従来装置では、足場部材を一方向に傾斜させたとき、その傾斜方向に位置するリンクの姿勢（リンクと足場部材との結節点の位置）に関係して、足場部材を逆方向に傾斜できなくなることが懸念される。
【０００５】
又、リンクによる支持構造では、リンクの結節点に大きな負荷が発生するため、足場部材の重量やその上に載る練習者の体重、ならびに足場部材上でのショット練習に起因する衝撃荷重を支えるに足る充分な支持強度を得難い。
【０００６】
更に、足場部材の最大傾斜角を大きくするには、リンクを長くしながら、リンクを作動させる移動部材の移動ストロークを大きくすることが必要となり、結果として装置の大型化を招くという問題がある。
【０００７】
本発明は以上のような事情に鑑みて成されたものであり、その目的は可及的小型にして高い支持強度を有し、傾斜面でのショット練習を安全に行うことのできる簡便なゴルフ練習台を提供することにある。
【課題を解決するための手段】
【０００８】
本発明は上記目的を達成するため、
基台フレーム上にチルト駆動部を介して打席台を前後左右に傾斜可能に設けたゴルフ練習台であり、
前記チルト駆動部は、前記基台フレームの上面部に敷設した第１ガイドレール及び第２ガイドレールと、前記第１ガイドレールに沿って移動する一対の第１スライドカムと、前記第２ガイドレールに沿って前記第１スライドカムの移動方向と直交する方向に移動する一対の第２スライドカムと、前記第１スライドカムを前記第１ガイドレールに沿って移動させるべく第１駆動源により駆動される第１伝動機構と、前記第２スライドカムを前記第２ガイドレールに沿って移動させるべく前記第１駆動源とは別に駆動可能な第２駆動源により駆動される第２伝動機構とを具備して構成され、
前記第１伝動機構は、前記第１ガイドレールに平行して前記一対の第１スライドカムと係合する第１ネジ軸を有し、
前記第２伝動機構は、前記第２ガイドレールに平行すると共に前記第１ネジ軸に直交して前記一対の第２スライドカムと係合する第２ネジ軸を有し、
前記打席台には、その中心部を挟んで前記一対の第１スライドカムに対応する一対の第１カム従節と前記一対の第２スライドカムに対応する一対の第２カム従節が取り付けられ、
前記第１スライドカム及び第２スライドカムは、前記第１カム従節及び第２カム従節をそれぞれ昇降可能に支持する傾斜状の支持部を有し、
前記支持部は、前記第１ネジ軸と第２ネジ軸との交差部分に向かって高さが漸次大きくなる傾斜態様であり、
前記第１カム従節及び第２カム従節は、前記打席台に固定されるブラケットと、前記打席台の盤面に平行して前記ブラケットにより支持されるガイド軸と、前記支持部に載る接触部材とを含み、
前記接触部材は前記ガイド軸の軸方向に摺動可能にして支持されると共に、前記第１カム従節のガイド軸は前記第１ネジ軸に対して直交する方向に指向され、前記第２カム従節のガイド軸は前記第２ネジ軸に対して直交する方向に指向されており、
前記支持部及び接触部材において、その何れか一方に前記支持部の長手方向に沿う相対的な移動を許容するガイド溝が形成されると共に、他方には前記ガイド溝に嵌る凸面部が形成され、その凸面部の輪郭が前記ガイド溝の幅を直径とする円弧形とされていることを特徴とする。
【０００９】
加えて、前記第１ネジ軸及び第２ネジ軸は、各々その軸方向に移動するよう両者の交差部分に回転自在に配置される駆動ナットに螺合され、その各両端にそれぞれ前記一対の第１スライドカム及び一対の第２スライドカムが連結されていることを特徴とする。
【００１０】
又、前記基台フレーム及び打席台は、前記第１スライドカム及び第２スライドカムの移動方向に対角を有する方形状の形態とされていることを特徴とする。
【発明の効果】
【００１１】
本発明に係るゴルフ練習台によれば、基台フレームと打席台との間に、第１ガイドレール及び第２ガイドレールに沿って互いに直交する方向に移動する一対の第１スライドカムと第２スライドカムとを設け、その各スライドカムが備える傾斜状の支持部により、打席台に取り付けたカム従節をそれぞれ昇降可能に支持する構成としていることから、打席台やその上でショット練習する練習者の荷重に耐え得る高強度の支持構造にして、傾斜する打席台を安定支持することができる。
【００１２】
しかも、支持部の傾斜角を大きくすることにより、スライドカムの移動量を小さくしながら打席台の傾斜角を大きくすることができるので、打席台の角度変化を大きくしながら装置を小型化することができる。
【００１３】
加えて、第１スライドカム及び第２スライドカムを構成する支持部が、第１ネジ軸と第２ネジ軸との交差部分に向かって高さが漸次大きくなる傾斜態様とされていることから、打席台を一方向に傾斜させたとき、打席台がその傾斜方向に位置する支持部の上端に干渉するのを防止できる。このため、支持部の傾斜角度を大きくした場合でも、その上端に打席台を干渉させずして打席台を大きく傾斜させることが可能となる。
【００１４】
又、両端にスライドカムを連結したネジ軸がその軸方向に移動する構成では、ネジ軸の両端を軸受装置で支持せず、スライドカムをネジ軸の支持装置として利用することができる。このため、スライドカムを軸受装置などに干渉させることなく打席台の外縁方向に移動させることができる。
【００１５】
更に、カム従節が支持部に載る接触部材を有し、その接触部材がその下に位置にするネジ軸に直交するガイド軸に沿って摺動可能とされる構成では、打席台を一方向に傾斜させた場合でも、その傾斜方向に直交する方向に位置する接触部材が支持部上から外れてしまうことを防止できる。しかも、支持部及び接触部材の何れか一方に支持部の長手方向に沿う両者の相対的な移動を許容するガイド溝が形成され、他方にガイド溝の幅を直径とする円弧形の輪郭を有する凸面部が形成され、その凸面部がガイド溝に嵌るようにした構成では、打席台を一方向に傾斜させるとき、その傾斜方向に直交する方向に位置する接触部材が支持部上から外れてしまうことをより確実に防止しながら、ガイド軸に沿って移動する接触部材を支持部に対して円滑に角変位させることができる。
【００１６】
又、基台フレーム及び打席台がスライドカムの移動方向に対角を有する方形状の形態とされるものでは、基台フレームや打席台を面積の小さいものにしながら、打席台を傾斜させるに必要なスライドカムの移動ストロークを大きくとることができる。
【図面の簡単な説明】
【００１７】
【図１】本発明に係るゴルフ練習台を示す側面概略図
【図２】同練習台の平面透視図
【図３】伝動機構の一部を示す平面図
【図４】打席台が一方向に傾斜した状態を示す動作説明図
【図５】打席台の中心部を示す断面図
【図６】カム従節を示す正面図
【図７】図６のＹ−Ｙ断面図
【図８】カム従節の動作説明図
【図９】スライドカムを示す側面図
【図１０】図９のＹ１−Ｙ１断面図
【図１１】図９のＹ２−Ｙ２断面図
【図１２】カム従節の変形例を示す部分断面図
【図１３】カム従節と支持部の変形例を示す部分断面図
【発明を実施するための形態】
【００１８】
以下、本発明に係るゴルフ練習台の好適な実施形態を図面に基づき詳しく説明する。先ず、図１において、１は構造用鋼を接合するなどして構成される基台フレームであり、この基台フレーム１上にゴルフ練習者の足場となる打席台２が前後左右に傾斜可能にして設けられている。
【００１９】
打席台２は、基台フレーム１と同じく構造用鋼を接合するなどして構成される板状構造物であり、その上面には人工芝を貼り付けた図示せぬ床板が敷き詰めされ、一端縁にはゴルフボールを配置するボール置き場２１が形成されている。
【００２０】
又、基台フレーム１と打席台２の間には、打席台２を前後左右に傾斜させるためのチルト駆動部３が設けられている。図１及び図２から明らかなように、チルト駆動部３は、基台フレーム１の上面部に敷設されたガイドレール４Ａ，４Ｂ（第１ガイドレール及び第２ガイドレール）を備えている。特に、ガイドレール４Ａ，４Ｂは、基台フレーム１の中心部を基線の交点として互いに直交する状態に敷設されている。又、基台フレーム１と打席台２は、ガイドレール４Ａ，４Ｂの長手方向に対角を有する方形状（正方形の輪郭）の形態とされている。すなわち、ガイドレール４Ａ，４Ｂは、基台フレーム１の上面部における同一平面内において、基台フレーム１と打席台２との対角線上に位置している。
【００２１】
そして、一方のガイドレール４Ａ上には基台フレーム１の中心部を挟んで一対のスライドカム５Ａ，５Ａ（第１スライドカム）が設けられ、他方のガイドレール４Ｂ上にも基台フレーム１の中心部を挟んで一対のスライドカム５Ｂ，５Ｂ（第２スライドカム）が設けられている。
【００２２】
スライドカム５Ａ，５Ｂはいずれも同一の構造であり、その形態は後述するネジ軸６１ａ，６１ｂの交差部分（打席台２の中心部）に向かって高さが漸次大きくなる傾斜状の支持部５１を斜辺とする直角三角形状とされている。尚、一対のスライドカム５Ａ，５Ａはガイドレール４Ａに沿って同一方向に往復移動し、一対のスライドカム５Ｂ，５Ｂはガイドレール４Ｂに沿って同一方向（スライドカム５Ａの移動方向に対して直交する方向）に往復移動する。つまり、スライドカム５Ａの移動方向はガイドレール４Ａの長手方向に一致し、スライドカム５Ｂの移動方向はガイドレール４Ｂの長手方向に一致するのであり、それらの移動方向には基台フレーム１と打席台２の対角が位置している。
【００２３】
図２において、６Ａはスライドカム５Ａをガイドレール４Ａに沿って移動させるための伝動機構（第１伝動機構）、６Ｂはスライドカム５Ｂをガイドレール４Ｂに沿って移動させるための伝動機構（第２伝動機構）であり、その両伝動機構６Ａ，６Ｂは、それぞれガイドレール４Ａ，４Ｂに沿って延びる上記ネジ軸６１ａ，６１ｂ（第１ネジ軸及び第２ネジ軸）を備えている。つまり、両ネジ軸６１ａ，６１ｂはガイドレール４Ａ，４Ｂと同じく基台フレーム１と打席台２との対角方向を指向するようにして直交配置されている。特に、ネジ軸６１ａ，６１ｂの交差部分において、基台フレーム１にはギアボックス６２が固設されている。
【００２４】
図３から明らかなように、ギアボックス６２は、ネジ軸６１ａ，６１ｂの軸方向に対向配置した軸受ブロック６３ａ，６３ｂを有し、その軸受ブロック６３ａ，６３ｂに軸受６４ａ，６４ｂが嵌め込まれている。軸受６４ａ，６４ｂはそれぞれ駆動ナット６５ａ，６ｂを回転自在に支持しており、その駆動ナット６５ａ，６５ｂにそれぞれネジ軸６１ａ，６１ｂが段違いにして螺合されている。尚、駆動ナット６５ａ，６５ｂの外周には、ＭＣナイロン樹脂製のスペーサ６６ａ，６６ｂにより挟まれるスプロケット６７ａ，６７ｂが固着されており、そのスプロケット６７ａ，６７ｂに対して外部から回転駆動力が与えられる構成とされている。
【００２５】
図２において、Ｍ１は伝動機構６Ａを構成する上記駆動ナット６５ａを回転駆動させるための駆動源（第１駆動源）、Ｍ２は伝動機構６Ｂを構成する上記駆動ナット６５ｂを回転駆動させるための駆動源（第２駆動源）であり、それら駆動源Ｍ１，Ｍ２の回転出力軸に固着したスプロケット６８ａ，６８ｂと上記スプロケット６７ａ，６７ｂとの間にチェーンが巻き掛けられている。尚、駆動源Ｍ１，Ｍ２は、個別に駆動可能な可逆モータにして基台フレーム１上に設置されている。又、基台フレーム１には駆動源Ｍ１，Ｍ２の動作制御を行う制御ボックスＣが配置され、その制御ボックスＣ内に設けられる制御機器と図示せぬ操作盤が信号線により接続されている。
【００２６】
そして、操作盤のスイッチ操作により駆動源Ｍ１，Ｍ２を個別に、若しくは同時に駆動させ、これにより上記駆動ナット６５ａ，６５ｂを正逆に回転させ得るようになっている。駆動ナット６５ａ，６５ｂが回転すれば、これに螺合するネジ軸６１ａ，６１ｂが各々その軸方向に移動し、その各両端に連結したスライドカム５Ａ，５Ｂがそれぞれガイドレール４Ａ，４Ｂに沿って移動することになる。
【００２７】
又、図１に示されるように、上記ギアボックス６２には、ネジ軸６１ａ，６１ｂの交点上で主軸７が立てられ、その主軸７に対して打席台１の中心部が球面対偶部８を介して連結されている。又、打席台１には、その中心部を挟んでスライドカム５Ａ，５Ａに対応する一対のカム従節９Ａ，９Ａ（第１カム従節）と、スライドカム５Ｂ，５Ｂに対応する一対のカム従節９Ｂ，９Ｂ（図１では省略される第２カム従節）が取り付けられ、それらカム従節９Ａ，９Ｂがそれぞれスライドカム５Ａ，５Ｂの支持部５１により昇降可能に支持されている。従って、スライドカム５Ａ，５Ｂがガイドレール４Ａ，４Ｂに沿って移動すると、スライドカム５Ａ，５Ｂの支持部５１によりカム従節９Ａ，９Ｂが支持されたまま、打席台２が前後左右に傾斜するようになり、このため打席台２上に立つ練習者に対して、打席台２の上面を前下がり、前上がり、右足下がり、あるいは左足下がりとなる傾斜面とすることができる。
【００２８】
例えば、図１に示される一対のスライドカム５Ａ，５Ａを同図左方に移動させれば、打席台２は図１の左側が上がって右側が下げるよう傾斜して図４のようになる。このため、図４の左側を打球方向として右利き（右打ち構え）の練習者は、図４の状態において右足下がりの姿勢でショット練習を行うことができる。
【００２９】
尚、本例では、カム従節９Ａ，９Ｂの下端位置を結ぶ線上よりも打席台２の揺動中心が上方に位置するため、打席台２を傾斜させたとき上部側に位置するカム従節９Ａ，９Ｂの上昇移動量が下部側に位置するカム従節９Ａ，９Ｂの降下移動量より大きくなり、機構上では上部側のカム従節９Ａ，９Ｂが支持部５１から少なからず浮き上がるようになるが、実際には打席台２の自重による撓みなどによりカム従節９Ａ，９Ｂの浮き上がり現象は発生しない。加えて、主軸７に対して打席台２の上下移動を許容する構成としたり、打席台２の揺動中心をカム従節９Ａ，９Ｂの下端位置まで下げたりすることにより、上記現象が発生することを完全に防止することができる。
【００３０】
ここで、主軸７と打席台２との連結部分の構造を図５に示して説明すれば、打席台２の揺動中心となる球面対偶部８は、主軸７の外周に装着される軸受８１と、軸受８１を揺動自在に保持する軸受ブロック８２とから成る自動調心形の軸受ユニットであり、軸受８１の外輪８１ａの外周と軸受ブロック８２の内周は曲率を同じくして摺接する球面Ｒとされている。そして、係る球面対偶部８によれば、軸受ブロック８２を打席台２の中心部にボルト止めすることにより、主軸７を中心に打席台２を前後左右に傾斜可能にして支持することができる。
【００３１】
一方、図６〜図８に示すように、カム従節９Ａ，９Ｂは、打席台２の底面部に固定されるブラケット９１と、打席台２の盤面（厚さ方向に直交する平面）に平行してブラケット９１により両端を支持されるガイド軸９２と、ガイド軸９２により支持される接触部材９３とを有し、その接触部材９３がスライドカム５Ａ，５Ｂの支持部５１に載る構成とされている。尚、スライドカム５Ａの支持部５１は、ガイドレール４Ａ及びネジ軸６１ａに対して直交する方向に指向され、スライドカム５Ｂの支持部５１は、ガイドレール４Ｂ及びネジ軸６１ｂに対して直交する方向に指向されている。
【００３２】
又、接触部材９３は、ガイド軸９２を中心として回転する車輪であり、その外周には支持部５１に対して転がり接触する環状のガイド溝Ｇが形成されている。これにより、接触部材９３は、傾斜状の支持部５１を軌道にして支持部５１の長手方向に沿う移動を許容されているが、支持部５１に対して接触部材９３が転がり接触しながらその両者５１，９３が支持部５１の長手方向に相対移動する構成であれば、支持部５１と接触部材９３の摩耗を抑制することができる。
【００３３】
特に、接触部材９３は、ガイド軸９２の軸方向に対する摺動も可能とされている。これによれば、図８のように打席台２が傾斜されたとき、同方向に傾斜するガイド軸９２に沿って接触部材９３を移動させ、支部部５１から接触部材９３が外れること（脱輪）を防止することができる。又、打席台２が図８のように傾斜するとき、接触部材９３がガイド軸９２の傾斜角分だけ支持部５１上で回転角変位をするようになるところ、支持部５１に対する接触部材９３の回転角変位が円滑に行われるよう、ガイド溝Ｇは断面半円弧状の形態とされ、支持部５１には、円形断面の丸棒を用いるなどしてガイド溝Ｇの幅を直径とする円弧形の輪郭を有した凸面部Ｐが形成され、その凸面部Ｐがガイド溝Ｇに嵌め込まれている。
【００３４】
次に、上記のような支持部５１を有するスライドカム５Ａ，５Ｂの構造について言及すれば、係るスライドカム５Ａ，５Ｂは、図９〜図１１に示されるように、帯状の底板５２と、底板５２の長手方向一端部上に立設した端板５３と、端板５３に一端縁を固着せしめて底板５２上に直角に立設した垂直板５４と、垂直板５４の両面側に固着した補強用のリブ５５とを有する構成であり、垂直板５４の上縁斜辺部には丸棒（断面円形の棒鋼）を溶接するなどしてなる上記支持部５１が固設されている。又、底板５２には、コ字形のガイドレール４Ａ，４Ｂに対して摺動自在に係合するスライドテーブル５６が取り付けられている。更に、端板５３にはネジ軸６１ａ，６１ｂの一端部を挿入する透孔５７が穿設され、垂直板５４には透孔５７に挿入したネジ軸６１ａ，６１ｂの一端を端板５３にナットで締結することを可能にする切欠部５８が形成されている。尚、上記のようにスライドカム５Ａ，５Ｂは同一の構造であるが、それらに連結するネジ軸６１ａ，６１ｂは段違いにして配置されているので、スライドカム５Ａとスライドカム５Ｂでは、上記透孔５７及び切欠部５８の形成位置が上下にずれている。
【００３５】
そして、上記のようなスライドカム５Ａ，５Ｂによれば、大きな支持強度を有して支持部５１上に位置するカム従節９Ａ，９Ｂを介して打席台２と練習者とによる上方からの荷重を安定支持することができる。
【００３６】
以上、本発明の好適な実施形態を図面に基づき説明したが、係るゴルフ練習台は以上のような構成とすることに限らない。例えば、ネジ軸６１ａ，６１ｂを駆動源Ｍ１，Ｍ２により回転駆動されるものとする一方、そのネジ軸６１ａ，６１ｂに螺合するナット部材をスライドカム５Ａ，５Ｂに取り付けて、スライドカム５Ａ，５Ｂが回転駆動するネジ軸６１ａ，６１ｂに対して移動するようにしてもよい。
【００３７】
又、カム従節を構成する接触部材９３は、ガイド軸９２を中心に回転可能な車輪に限らず、ガイド軸９２の軸方向にのみ摺動可能な構造体でもよく、ガイド溝Ｇも図１２に示されるような断面コ字形の形態として差し支えない。更に、図１３に示すよう、支持部５１にガイド溝Ｇを形成する一方、接触部材９３に凸面部Ｐを形成するようにしてもよい。
【符号の説明】
【００３８】
１  基台フレーム
２  打席台
３  チルト駆動部
４Ａ  第１ガイドレール
４Ｂ  第２ガイドレール
５Ａ  第１スライドカム
５Ｂ  第２スライドカム
５１  支持部
６Ａ  第１伝動機構
６Ｂ  第２伝動機構
６１ａ  第１ネジ軸
６１ｂ  第２ネジ軸
６５ａ，６５ｂ  駆動ナット
９Ａ  第１カム従節
９Ｂ  第２カム従節
９１  ブラケット
９２  ガイド軸
９３  接触部材
Ｐ  ガイド溝
Ｇ  凸面部
Ｍ１  第１駆動源
Ｍ２  第２駆動源